(57)【要約】      （修正有）【課題】缶等の飲料容器又は内部に物を収納可能に形成した容器に貼着するラベルの裏面を利用して特定の広告機能を発揮させるようにした容器用ラベルを提供する。【解決手段】飲料容器又は内部に物を収納可能に形成した容器外周に対して装着、剥離可能とした容器用ラベル１であって、容器の収容物の特定必要情報を付した表面シートと、特定の広告対象に関する広告情報を付した裏面シート４とを、粘着層、又は粘着層及び台紙を介して剥離可能に構成し、剥離後における前記特定の広告対象に関する広告情報を付した裏面シートを表の面にして貼着可能に構成したものである。【選択図】図３
0003130997.tif 000002
【実用新案登録請求の範囲】
【請求項１】
飲料容器又は内部に物を収納可能に形成した容器外周に対して装着、剥離可能とした容器用ラベルであって、
容器の収容物である飲料等々の特定必要情報を付した表面シートと、特定の広告対象をはじめとする可能な諸情報に関する広告情報を付した裏面シートとを、粘着層又は非粘着層或いは粘着層、台紙を介して剥離可能に構成し、剥離後における前記裏面シートを表の面にして貼着可能に構成したことを特徴とする容器用ラベル。
【請求項２】
飲料容器又は内部に物を収納可能に形成した容器外周に対して装着、剥離可能とした容器用ラベルであって、
表面に缶又は瓶から選ばれる飲料等々の容器の収容物の特定必要情報を付した表面シートと、
この表面シートの裏面側に台紙を介して表面シートに接合した裏面シートと、
を具備し、
前記裏面シートの台紙側の一面に、剥離可能な粘着性を持たせるととともに、装着状態においては容器外周に接している前記裏面シートの面に、特定の広告対象をはじめとする可能な諸情報に関する広告情報を付し、剥離後における前記裏面シートを表の面にして貼着可能に構成したことを特徴とする容器用ラベル。
【請求項３】
飲料容器又は内部に物を収納可能に形成した容器外周に対して装着、剥離可能とした容器用ラベルであって、
表面に缶又は瓶から選ばれる容器の収容物である飲料等々の特定必要情報を付した表面シートと、
この表面シートの裏面側に台紙を介して表面シートに接合した裏面シートと、
を具備し、
前記裏面シートの台紙側の一面に、剥離可能な粘着性を持たせるととともに、装着状態においては容器外周に接している前記裏面シートの面に、タレントに関する顔写真、芸名等の広告対象をはじめとする可能な諸情報に関する広告情報を付し、剥離後における前記裏面シートを表の面にして貼着可能に構成したことを特徴とする容器用ラベル。
【請求項４】
飲料容器又は内部に物を収納可能に形成した容器外周に対して装着、剥離可能とした容器用ラベルであって、
表面に缶又は瓶から選ばれる容器の収容物である飲料等々の特定必要情報を付した表面シートと、
この表面シートの裏面側に台紙を介して表面シートに接合した裏面シートと、
を具備し、
前記裏面シートの台紙側の一面に、剥離可能な粘着性を持たせるととともに、装着状態においては容器外周に接している前記裏面シートの面に、各種商品をはじめとする可能な諸情報に関する広告情報を付し、剥離後における前記裏面シートを表の面にして貼着可能に構成したことを特徴とする容器用ラベル。
【考案の詳細な説明】
【技術分野】
【０００１】
本考案は、容器用ラベルに関し、詳しくは、飲料容器又は内部に物を収納可能に形成した容器に関する本来のラベル機能を有することに加え、ラベル裏面を有効利用することで例えばタレント等に関する広告機能を発揮し得るようにした新規な容器用ラベルに関するものである。
【背景技術】
【０００２】
例えば、お茶やジュース等の清涼飲料を収容して販売される飲料容器の外周には、当該清涼飲料を特定するための文字や画像等からなる特定必要情報が付された飲料容器用ラベルが貼着されて販売される。
【０００３】
この場合、飲料容器用ラベルは、その表面にのみ文字や画像等々からなる特定必要情報が付されたものであり、その裏面は飲料容器の外周面に貼着するための粘性面となっており、この裏面を利用して広告機能を発揮させるようなものは従来見当たらないのが現状である。
【０００４】
特許文献１には、飲料容器に貼着するラベルの表面に、本来の特定必要情報の他に何らかのイベント情報や文字書き込み欄を付してイベントを盛り上げる小道具として機能し得るようにした飲料容器用ラベルが提案されている。
【０００５】
しかし、この特許文献１の場合も、飲料容器用ラベルの裏面を利用して何らかの広告機能を発揮させるようにしたものではない。
【特許文献１】登録実用新案第３０９９６５７号公報
【考案の開示】
【考案が解決しようとする課題】
【０００６】
本考案が解決しようとする問題点は、内部に物を収納可能に形成した各種容器、特に飲料容器に貼着するラベルの裏面を利用して特定の広告機能を発揮させるようにした容器用ラベルが従来存在しない点である。
【課題を解決するための手段】
【０００７】
本考案に係る容器用ラベルは、飲料容器又は内部に物を収納可能に形成した容器外周に対して装着、剥離可能とした容器用ラベルであって、例えば飲料容器の収容物である飲料の特定必要情報を付した表面シートと、特定の広告対象に関する広告情報を付した裏面シートとを、粘着層、又は粘着層及び台紙を介して剥離可能に構成し、剥離後における前記裏面シートを表の面にして貼着可能に構成したことを最も主要な特徴とする。
【考案の効果】
【０００８】
請求項１記載の考案によれば、飲料容器をはじめとする各種容器用ラベル自体の裏面に特定の広告対象に関する広告情報を付し、かつ、このラベル自体を容器外周に対して装着、剥離可能としたものであるから、容器からラベル自体を剥離することによって、その裏面側の特定の広告情報に関する広告機能を発揮させることができるラベルを提供できる。
【０００９】
請求項２記載の考案によれば、ラベルを飲料容器をはじめとする各種容器の外周に対して装着、剥離可能とし、ラベルの表面シートと、この表面シートの裏面側に台紙を介して接合した裏面シートとにより容器用ラベルを構成し、この容器用ラベルを容器から剥離し、更に特定の広告対象に関する広告情報を付した裏面シートの他面側を表出する状態で、この裏面シートを所望の箇所に貼ることができ、裏面シートに付した特定の広告情報に関する広告機能を発揮させることができる。
【００１０】
請求項３記載の考案によれば、請求項２記載の考案と同様にして、裏面シートの他面に付した例えばタレントに関する顔写真、芸名等の広告情報による広告機能を発揮させることができる。
【００１１】
請求項４記載の考案によれば、請求項２記載の考案と同様にして、裏面シートの面に付した各種商品に関する広告情報による広告機能を発揮させることができる。
【考案を実施するための最良の形態】
【００１２】
本考案は、飲料容器をはじめとする各種容器に装着するラベルの裏面を利用して特定の広告機能を発揮させるようにした例えば飲料容器用ラベルを提供するという目的を、飲料容器をはじめとする各種容器の収容物の特定必要情報を付した表面シートと、特定の広告対象に関する広告情報を付した裏面シートとを、粘着層、又は粘着層及び台紙を介して剥離可能に構成し、剥離後における前記裏面シートを表の面にして貼着可能に構成したことにより実現した。
【実施例】
【００１３】
以下に、本考案の実施例に係る容器用ラベル１について図面を参照して詳細に説明する。
【００１４】
本実施例に係る飲料容器又は内部に物を収納可能に形成した容器用ラベル１は、図１に示すように、例えば清涼飲料である「茶」を収容する飲料容器である缶１０の壁面外周に剥離可能に装着（又は貼着）し、必要に応じて壁面外周から剥離するように構成している。
【００１５】
図示例における前記容器用ラベル１は、図４に示すように、例えば合成樹脂材からなる各々四角形状の表面シート２、台紙３、裏面シート４の三層で、表面シート２との間に台紙３を介在させた構造としている。また、本考案における容器自体は、その形状等を特に限定するものではなく、内部に物を収納可能に形成、構成された容器であれば良い。
【００１６】
前記表面シート２と台紙３とは、例えば表面シート２の裏面に形成した粘着層（接着層）２ａにより接合される。
【００１７】
また、前記裏面シート４の台紙３側の一面には、剥離可能で透明な粘着層（接着層）４ａを形成して、裏面シート４と台紙３とを剥離可能に接合し、シートの左右両端の剥離部４cの接合、貼着をもって、裏面シート４の面で前記缶１０の壁面外周を囲むように当該シートを装着し、かつ、この裏面シート４を缶１０の壁面外周から剥離部４cの部分の剥離により剥離可能に構成している。
なお、図示するように、前記裏面シート４の台紙３側の一面とともに、裏面シート４の缶１０に貼着する側の他面に剥離可能で透明な粘着層（接着層）４ａ、４ｂを形成し、裏面シート４の一面と台紙３とを剥離可能に接合し、裏面シート４の他面を前記缶１０の壁面外周を囲むように、かつ、剥離可能に貼着するように構成しても良い。
【００１８】
前記表面シート２の表面には、図２に示すように、前記缶１０内に収容する例えば「茶」を顧客に認識させるたろの特定必要情報を付している。
【００１９】
この特定必要情報としては、例えば当該「茶」の品名（〇〇茶）１１、品名、原材料、内容量、賞味期限、販売者等の文字を明示した商品表示情報１２、開缶後はすぐにお飲みください。凍らせないでください。・・・等々の文字を明示した注意情報１３等を挙げることができる。
【００２０】
前記裏面シート４の面（缶１０の壁面外周に接する側）中央部には、図３に示すように、例えば広告情報として著名なタレント（テレビタレント等）に関する顔写真、芸名等々の広告情報１４を付している。
【００２１】
次に、本実施例に係る容器用ラベル１の具体的使用態様について、図５乃至図７をも参照して説明する。
【００２２】
この容器用ラベル１の本来的な使用態様は、図１に示すように、前記缶１０の壁面に予め貼着され、図示しないが自動販売機等に入れられて顧客に販売される。更には、観光地等の旅館、ホテル等が顧客に土産物として前記缶１０を提供するような形態も勿論可能である。
【００２３】
前記容器用ラベル１が付された缶１０を取得した顧客は、缶１０内の例えば飲料である茶を飲んだ後、まず、図５に示すように、シートの剥離部４cの部分の剥離により前記缶１０の壁面から容器用ラベル１を剥ぎ取る。
【００２４】
次に、図６に示すように、容器用ラベル１の裏面シート４を台紙３から剥がし裏面シート４のみとした後、この裏面シート４の一面側の前記粘着層４ａを利用し、例えば図７に示すように自宅室内に設置した本箱２０の所望の位置に貼り付ける。
【００２５】
これにより、例えば本箱２０の所望の位置において、前記容器用ラベル１を構成する裏面シート４の他面側に付した前記タレントに関する顔写真、芸名等の広告情報１４が表出することになり、顧客はタレントに関する顔写真等を見て楽しむことができる。室内の他、乗用車等の車内の適宜箇所に貼り付け、見て楽しむことも勿論可能である。
【００２６】
また、前記広告情報１４の対象となっているタレント側にとっても、容器用ラベル１を通じて自己の顔や芸名等を多くの顧客に認識させ著名度を上げるという宣伝広告効果を期待できる。
【００２７】
図８は、本実施例の変形例に係る容器用ラベル１Ａを示すものであり、この容器用ラベル１Ａは、基本的構成は前記容器用ラベル１と同様であるが、裏面シート４の他面側に各種商品に関する広告情報２１、例えば、パンダの縫いぐるみに関する図形２２、広告文字２３等からなる広告情報２１を付したことが特徴である。
【００２８】
この変形例に係る容器用ラベル１Ａによっても、前記容器用ラベル１と同様の使用態様の基に、室内に設置した本箱２０の所望の位置に裏面シート４を貼り付け、可愛いパンダの図形２２を見て楽しむことができる。
【００２９】
また、前記広告情報２１の提供している縫いぐるみの営業主側にとっても、容器用ラベル１Ａを通じて自己が販売するパンダ等の縫いぐるみの販売促進効果を期待できる。
【産業上の利用可能性】
【００３０】
本考案に係る容器用ラベルは、上述したようなタレント等の宣伝広告や縫いぐるみ等の商品の販売促進に適用して好適なことは勿論のこと、多くの顧客が興味を引くような人物や、キャラクタ商品等広範囲にわたる各種商品等を対象として幅広く適用可能である。また、容器用ラベルの貼着対象も、缶の他、瓶やボトル型容器等広範な飲料容器、すなわち、清涼飲料、酒類等用の各種飲料容器として実施できる。
【図面の簡単な説明】
【００３１】
【図１】本考案の実施例に係る容器用ラベルを貼着した缶を示す斜視図である。
【図２】本実施例に係る容器用ラベルの表面図である。
【図３】本実施例に係る容器用ラベルの裏面図である。
【図４】本実施例に係る容器用ラベルの断面構造を示す部分拡大分解断面図である。
【図５】本実施例に係る容器用ラベルを缶から剥がす状態を示す斜視図である。
【図６】本実施例に係る容器用ラベルにおける裏面シートを分離する状態を示す部分断面である。
【図７】本実施例に係る容器用ラベルにおける裏面シートを本箱に貼り付けた状態を示す正面図である。
【図８】本実施例に係る容器用ラベルの変形例を示す裏面図である。
【符号の説明】
【００３２】
１    容器用ラベル
１Ａ  容器用ラベル
２    表面シート
２ａ  粘着層
３    台紙
４    裏面シート
４ａ  粘着層
４ｂ  粘着層
４ｃ  剥離部
１０    缶
１１    品名
１２    商品表示情報
１３    注意情報
１４    広告情報
２０    本箱
２１    広告情報
２２    図形
２３    広告文字
【図１】
0003130997.tif 000003
【図２】
0003130997.tif 000004
【図３】
0003130997.tif 000005
【図４】
0003130997.tif 000006
【図５】
0003130997.tif 000007
【図６】
0003130997.tif 000008
【図７】
0003130997.tif 000009
【図８】
0003130997.tif 000010